(57)【要約】【課題】濁度の測定精度が向上できる濁度計を実現する。【解決手段】測定槽に設けられた透過窓を通過した光により濁度を測定する濁度計において、前記測定槽を挟んで前記透過窓外に対向して設けられた第１，第２の凸レンズを有する光路と、前記第１の凸レンズにレーザー光を照射する点光源と、前記第１の凸レンズに平行レーザー光を照射する平行光源と、前記第２の凸レンズの焦点位置に設けられ前記点光源と前記平行光源からの光強度の比から濁度を検出する検出器とを具備したことを特徴とする濁度計である。【選択図】図１
2009204450.tif 000002
【特許請求の範囲】
【請求項１】
測定槽に設けられた透過窓を通過した光により濁度を測定する濁度計において、
前記測定槽を挟んで前記透過窓外に対向して設けられた第１，第２の凸レンズを有する光路と、
前記第１の凸レンズにレーザー光を照射する点光源と、
前記第１の凸レンズに平行レーザー光を照射する平行光源と、
前記第２の凸レンズの焦点位置に設けられ前記点光源と前記平行光源からの光強度の比から濁度を検出する検出器と
を具備したことを特徴とする濁度計。
【請求項２】
前記入力光の明暗の周波数から流速を検出する検出器
を具備したことを特徴とする請求項１記載の濁度計。
【請求項３】
前記平行光源は、ハーフミラーを使用して前記点光源からの光軸に対して直交する方向から入射するようにしたこと
を特徴とする請求項１又は請求項２記載の濁度計。
【発明の詳細な説明】
【技術分野】
【０００１】
本発明は、濁度計に関するものである。
【背景技術】
【０００２】
濁度計に関連する先行技術文献としては次のようなものがある。
【０００３】
【特許文献１】特開２００６−３１７２７０号公報
【特許文献２】特開２００６−３２９６２９号公報
【０００４】
図４は従来より一般に使用されている従来例の要部構成説明図である。
図において、測定流体の流れる測定槽１に、光源２より光が照射され、透過した光が検出器３に入射される。
４は検出器３の信号を増幅する増幅器、５は増幅器４で増幅された測定信号を表示するメータである。
【０００５】
以上の構成において、濁った測定流体に一定の強さの光を入射すると、濁りの粒子に反射又は散乱し透過量が減じる。
透過量は測定槽の厚さと濁りの粒子の密度（濁度）に比例する。
この吸光度を測定して、あらかじめ同じようにして操作した検量線から濃度を求める。
【発明の開示】
【発明が解決しようとする課題】
【０００６】
このような装置においては、以下の間題点がある。
濁度の濃度により、測定方式を変える等の工夫が必要である。
微細素子の濃度を受光素子の面照度と点照度の両者で検出できず測定精度を向上することが出来なかった。
【０００７】
本発明の目的は、上記の課題を解決するもので、濁度の測定精度が向上できる濁度計を提供することにある。
【課題を解決するための手段】
【０００８】
このような課題を達成するために、本発明では、請求項１の濁度計においては、
測定槽に設けられた透過窓を通過した光により濁度を測定する濁度計において、前記測定槽を挟んで前記透過窓外に対向して設けられた第１，第２の凸レンズを有する光路と、前記第１の凸レンズにレーザー光を照射する点光源と、前記第１の凸レンズに平行レーザー光を照射する平行光源と、前記第２の凸レンズの焦点位置に設けられ前記点光源と前記平行光源からの光強度の比から濁度を検出する検出器とを具備したことを特徴とする。
【０００９】
本発明の請求項２の濁度計においては、請求項１記載の濁度計において、
前記入力光の明暗の周波数から流速を検出する検出器を具備したことを特徴とする。
【００１０】
本発明の請求項３の濁度計においては、請求項１又は請求項２記載の濁度計において、
前記平行光源は、ハーフミラーを使用して前記点光源からの光軸に対して直交する方向から入射するようにしたことを特徴とする。
【発明の効果】
【００１１】
本発明の請求項１によれば、次のような効果がある。
微細素子の濃度を受光素子の面照度と点照度の両者で検出するようにしたので、濁度の測定精度が向上できる濁度計が得られる。
【００１２】
本発明の請求項２によれば、次のような効果がある。
入力光の明暗の周波数から流速を検出する検出器が設けられたので、流速の測定も同時にできる濁度計が得られる。
【００１３】
本発明の請求項３によれば、次のような効果がある。
平行光源は、ハーフミラーを使用して、点光源からの光軸に対して、直交する方向から入射するようにしたので、平行光源の発生装置が、点光源の発生装置に対して、容易に配置し易い濁度計が得られる。
【発明を実施するための最良の形態】
【００１４】
以下本発明を図面を用いて詳細に説明する。
図１は本発明の一実施例の要部構成説明図、図２は図１の動作説明図である。
図において、図４と同一記号の構成は同一機能を表す。
以下、図４との相違部分のみ説明する。
【００１５】
図１において、第１，第２の凸レンズ１１，１２は、測定槽１の透過窓１３外に対向して設けられ、測定槽１内に同一の焦点Ａを有する。
点光源１４は、第１の凸レンズ１１の焦点位置に設けられ、第１の凸レンズ１１にレーザー光を照射する。
平行光源１５は、第１の凸レンズ１１に平行レーザー光を照射する。
【００１６】
この場合は、平行光源１５は、ハーフミラー１６を使用して、点光源１４からの光軸に対して、直交する方向から入射するようにしている。
検出器１７は、第２の凸レンズ１２の焦点位置に設けられ、点光源１４と平行光源１５からの光強度の比から濁度を検出し、入力光の明暗の周波数から流速を検出する。
【００１７】
以上の構成において、点光源１４と平行光源１５とから、測定槽１に光が入射されると、測定槽１のＡ点において、図２に示す如く、干渉縞１８が形成される。
この干渉縞１８を測定流体の微粒子が通過すると、検出器１７では光の明暗が変化する、この変化の周波数を測定すれば、前記微粒子が干渉縞１８を横切るスピードが計算できる（スピードが速いと周波数は上がる。）。
【００１８】
図３に示す如く、入力光の明暗の周波数から流速を検出する検出器が設けられたので、流速の測定も同時にできる濁度計が得られる。
点光源１４と平行光源１５とにより、測定流体に不純物がない場合Ｂと測定流体に不純物がある場合Ｃとで異なる信号振幅Ｘｎ，Ｙｎが検出される。
測定流体に不純物がある場合Ｃでは、信号振幅Ｘ1，Ｙ1は低下する。このＸ1，Ｙ1の比の値から検量線を用いて濁度を測定することができる。
Ｄはグランドである。
【００１９】
この結果、
微細素子の濃度を受光素子１７の面照度と点照度の両者で検出するようにしたので、濁度の測定精度が向上できる濁度計が得られる。
入力光の明暗の周波数から流速を検出する検出器１７が設けられたので、流速の測定も同時にできる濁度計が得られる。
【００２０】
平行光源１５は、ハーフミラー１６を使用して、点光源１９からの光軸に対して、直交する方向から入射するようにしたので、平行光源１５の発生装置が、点光源１９の発生装置に対して、容易に配置し易い濁度計が得られる。
【００２１】
なお、前述の実施例においては、検出器１７に付いて、検出器１７は、第２の凸レンズ１２の焦点位置に設けられ、点光源１４と平行光源１５からの光強度の比から濁度を検出し、入力光の明暗の周波数から流速を検出すると説明したが、これに限ることはなく、検出器１７は光強度の比から濁度を検出する検出器と、入力光の明暗の周波数から流速を検出する検出器との２個の検出器であっても良いことは勿論である。
【００２２】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２３】
【図１】本発明の一実施例の要部構成説明図である。
【図２】図１の動作説明図である。
【図３】図１の動作説明図である。
【図４】従来より一般に使用されている従来例の構成説明図である。
【符号の説明】
【００２４】
１      測定槽
２      光源
３      検出器
４      増幅器
５      メータ
１１    第１の凸レンズ
１２    第２の凸レンズ
１３    透過窓
１４    点光源
１５    平行光源
１６    ハーフミラー
１７    検出器
１８    干渉縞
Ａ      焦点
Ｂ      測定流体に不純物がない場合
Ｃ      測定流体に不純物がある場合
Ｄ      グランド
【図１】
2009204450.tif 000003
【図２】
2009204450.tif 000004
【図３】
2009204450.tif 000005
【図４】
2009204450.tif 000006